(57)【要約】【課題】設置環境が気温や風向の変化が激しい場所であっても、内部の温度を適切に制御し得るナトリウム−硫黄電池用のパッケージを提供すること。【解決手段】モジュール電池４ａ，４ｂの底面と壁面１０９ａ，１０９ｂとの間に壁面１０９ａ，１０９ｂに向けて斜め下方に傾斜した導風板１０６ａ，１０６ｂを設けるとともに、モジュール電池４ａ，４ｂの上面から隙間８に向けて斜め上方に傾斜した整流板１０７ａ，１０７ｂを設けたナトリウム−硫黄電池用のパッケージ１０１の提供による。【選択図】図７
2008226488.tif 000002
【特許請求の範囲】
【請求項１】
一のモジュール電池の上面と他のモジュール電池の底面との間に隙間ａを設けつつ多段に積層した複数のモジュール電池を、一の列と他の列との間に隙間ｂを設けつつ２列に配置した架台を収納する、ナトリウム−硫黄電池用のパッケージであって、
前記一の列の側の壁面及び前記他の列の側の壁面の、最下段のモジュール電池に対応する位置にそれぞれ吸気口を備え、それぞれの吸気口に吸気ガラリを備えるとともに、前記一の列と他の列との間の天井部に排気口を備え、且つ、
少なくとも最下段のモジュール電池を除く全てのモジュール電池毎に、
前記一の列を構成するモジュール電池の底面と、前記一の列の側の壁面と、の間に、前記一の列の側の壁面に向けて、斜め下方に傾斜した導風板Ａを、その導風板Ａの上縁部と一の列の壁面との間に所定の間隔を開けて、設けるとともに、前記他の列を構成するモジュール電池の底面と、前記他の列の側の壁面と、の間に、前記他の列の側の壁面に向けて、斜め下方に傾斜した導風板Ｂを、その導風板Ｂの上縁部と他の列の壁面との間に所定の間隔を開けて、設け、加えて、
前記一の列を構成するモジュール電池の上面から、前記一の列と他の列との間の隙間ｂに向けて、斜め上方に傾斜した整流板Ａ、及び、前記他の列を構成するモジュール電池の上面から、前記一の列と他の列との間の隙間ｂに向けて、斜め上方に傾斜した整流板Ｂを、それら整流板Ａと整流板Ｂとの間に所定の間隔を開けて、設けたナトリウム−硫黄電池用パッケージ。
【請求項２】
前記排気口が、上方に向けて開口した筒状部及びその筒状部との間に隙間ｃを設けつつ筒状部に被さる上蓋部によって、前記一の列の側及び前記他の列の側において側方を向くように形成され、且つ、
前記筒状部の頂に水平な遮断板を設けた請求項１に記載のナトリウム−硫黄電池用パッケージ。
【請求項３】
前記吸気ガラリを通じて空気を強制的にパッケージ内へ導入する、ファンを備える請求項１に記載のナトリウム−硫黄電池用パッケージ。
【請求項４】
パッケージ内の温度を測定する温度計測手段と、その温度計測手段によって測定されたパッケージ内の温度に基づいて前記ファンのＯＮ−ＯＦＦを行い又は回転数を制御するファン制御手段と、を備える請求項３に記載のナトリウム−硫黄電池用パッケージ。
【請求項５】
前記吸気ガラリに、防塵フィルタ及び耐塩フィルタを備える請求項１〜４の何れか一項に記載のナトリウム−硫黄電池用パッケージ。
【請求項６】
前記一の列の側の壁面及び前記他の列の側の壁面に、一の扉と、その一の扉より相対的に小さな他の扉を備え、その他の扉に、前記吸気ガラリが備わる請求項１〜５の何れか一項に記載のナトリウム−硫黄電池用パッケージ。
【請求項７】
ナトリウム−硫黄電池が、出力が変動する発電装置と電力貯蔵補償装置とを組み合わせて電力系統へ電力を供給する連系システムにおいて前記電力貯蔵補償装置を構成し前記発電装置の出力の変動を補償するナトリウム−硫黄電池である請求項１〜６の何れか一項に記載のナトリウム−硫黄電池用パッケージ。
【発明の詳細な説明】
【技術分野】
【０００１】
本発明は、複数のモジュール電池を収納するナトリウム−硫黄電池用パッケージに関する。
【背景技術】
【０００２】
負荷（電力需要）平準化のための電力貯蔵補償装置の主構成機器として、ナトリウム−硫黄電池が利用されている。ナトリウム−硫黄電池は、陰極活物質である溶融金属ナトリウムと、陽極活物質である溶融硫黄と、をナトリウムイオンに対して選択的な透過性を有するβ−アルミナ固体電解質で隔離して配する二次電池である。このようなナトリウム−硫黄電池は、単電池を所定数接続してなるモジュール電池を、更に、複数、接続して、制御機器とともに、架台に配置し、その架台をパッケージに収納したナトリウム−硫黄電池システムとして構成される。図８、図９、図１０に、従来のナトリウム−硫黄電池システムの外形を示す。又、図１１、図１２、図１３に、従来のナトリウム−硫黄電池システムの内部構造を示す。図１２において、矢印は、空気（風）の流れを表している。
【０００３】
ナトリウム−硫黄電池システム１０を効率よく運転する（充放電を行う）ためには、β−アルミナ固体電解質に対するナトリウムイオン伝導率の温度特性等の理由により、モジュール電池４を２８０℃以上の高温で作動させる必要がある。その反面、ナトリウム−硫黄電池システム１０を構成する種々の部材には耐熱性の制約がある。そのため、モジュール電池４の作動温度を所定の範囲（概ね２８０℃〜３６０℃）に制御することが、大変に肝要である。そして、充放電時に内部抵抗充電は吸熱反応であるのに対し放電は発熱反応であることから、放電において上昇したモジュール電池４の温度が、充電において、放電開始時の値まで下がるように、パッケージ１の内部の熱の収支を取るようにしなければならない。
【０００４】
上記のような事情により、図８〜図１３に示されるナトリウム−硫黄電池システム１０においては、パッケージ１の内部における温度を適切に制御する手段が重要になる。従来、モジュール電池４から放たれる熱のパッケージ１の外への排出は、図１２に示されるように、パッケージ１の一の面（前面）の１つの扉５に、各モジュール電池４の位置に対応させて設けた、複数の吸気ガラリ２から空気を導入し、パッケージ１の天井に設けた排気口３を通して排出する、自然換気により行われていた。そして、パッケージ１の吸気ガラリ２及び排気口３のサイズや、排気風量等は、モジュール電池４からの放熱量に対する熱換気設計を行った上で決定していた。
【０００５】
尚、ナトリウム−硫黄電池用パッケージに関する先行文献としては、例えば、特許文献１を挙げることが出来る。
【特許文献１】特許第３４７４８２１号公報
【発明の開示】
【発明が解決しようとする課題】
【０００６】
ナトリウム−硫黄電池が負荷（電力需要）平準化のための電力貯蔵補償装置の主構成機器として利用される限りにおいては、図８〜図１３に示される、自然換気を行う従来のパッケージ１で特段の問題は発生していなかった。しかしながら、自然エネルギー発電装置と組み合わされて電力貯蔵補償装置を構成するナトリウム−硫黄電池においては、パッケージ１では熱換気が十分に行えず、パッケージ１内の温度が上がり過ぎ又は下がり過ぎて、ナトリウム−硫黄電池システムの運転が非効率になってしまうという問題に直面した。これは、自然エネルギー発電装置と組み合わされる場合には、気温や風向の変化が激しい環境に設置される場合が多いためと考えられた。
【０００７】
風力、太陽光、地熱等から電力を作り出す自然エネルギー発電装置は、石油等の限りある資源を使用せず、自然に無尽蔵に存在するエネルギー源を用いるクリーンな発電装置であり、二酸化炭素の排出を抑制し得るので、地球温暖化防止の観点から、今後、導入する企業、自治体等は増加するものと考えられる。従って、自然エネルギー発電装置と組み合わされるナトリウム−硫黄電池を効率よく運転するために、ナトリウム−硫黄電池が気温や風向の変化が激しい屋外環境に設置されても、パッケージの内部における温度を、適切に制御し得る手段の実現が望まれる。
【０００８】
本発明は、このような事情に鑑みてなされたものであり、その課題は、設置環境が気温や風向の変化が激しい場所であっても、内部の温度を適切に制御し得るナトリウム−硫黄電池用のパッケージを提供することである。研究が重ねられた結果、以下に示すナトリウム−硫黄電池用パッケージによって、上記課題が解決されることが見出された。
【課題を解決するための手段】
【０００９】
即ち、本発明によれば、一のモジュール電池の上面と他のモジュール電池の底面との間に隙間ａを設けつつ多段に積層した複数のモジュール電池を、一の列と他の列との間に隙間ｂを設けつつ２列に配置した架台を収納する、ナトリウム−硫黄電池用のパッケージであって、一の列の側の壁面及び他の列の側の壁面の、最下段のモジュール電池に対応する位置にそれぞれ吸気口を備え、それぞれの吸気口に吸気ガラリを備えるとともに、一の列と他の列との間の天井部に排気口を備え、且つ、少なくとも最下段のモジュール電池を除く全てのモジュール電池毎に、一の列を構成するモジュール電池の底面と、一の列の側の壁面と、の間に、一の列の側の壁面に向けて、斜め下方に傾斜した導風板Ａを、その導風板Ａの上縁部と一の列の壁面との間に所定の間隔を開けて、設けるとともに、他の列を構成するモジュール電池の底面と、他の列の側の壁面と、の間に、他の列の側の壁面に向けて、斜め下方に傾斜した導風板Ｂを、その導風板Ｂの上縁部と他の列の壁面との間に所定の間隔を開けて、設け、加えて、一の列を構成するモジュール電池の上面から、一の列と他の列との間の隙間ｂに向けて、斜め上方に傾斜した整流板Ａ、及び、他の列を構成するモジュール電池の上面から、一の列と他の列との間の隙間ｂに向けて、斜め上方に傾斜した整流板Ｂを、それら整流板Ａと整流板Ｂとの間に所定の間隔を開けて、設けたナトリウム−硫黄電池用パッケージが提供される。
【００１０】
本発明に係るナトリウム−硫黄電池用パッケージは、上記排気口が、上方に向けて開口した筒状部及びその筒状部との間に隙間ｃを設けつつ筒状部に被さる上蓋部によって、一の列の側及び他の列の側において側方を向くように形成され、且つ、筒状部の頂に水平な遮断板を設けたものであることが好ましい。
【００１１】
本発明に係るナトリウム−硫黄電池用パッケージは、吸気ガラリを通じて空気を強制的にパッケージ内へ導入する、ファンを備えるものであることが好ましい。
【００１２】
本発明に係るナトリウム−硫黄電池用パッケージは、パッケージ内の温度を測定する温度計測手段と、その温度計測手段によって測定されたパッケージ内の温度に基づいてファンのＯＮ−ＯＦＦを行い又は回転数を制御するファン制御手段と、を備えるものであることが好ましい。
【００１３】
温度計測手段（温度センサ）としては、熱電対又は測温抵抗体を使用することが出来る。温度計測手段（温度センサ）の取付位置及び数は、ケーブル等の部材を配する位置であって最も温度が高くなる位置に必要な数を配置することが好ましい。
【００１４】
本発明に係るナトリウム−硫黄電池用パッケージは、吸気ガラリに、防塵フィルタ及び耐塩フィルタを備えるものであることが好ましい。
【００１５】
本発明に係るナトリウム−硫黄電池用パッケージは、一の列の側の壁面及び他の列の側の壁面に、一の扉と、その一の扉より相対的に小さな他の扉を備え、その他の扉に、吸気ガラリが備わるものであることが好ましい。
【００１６】
本発明に係るナトリウム−硫黄電池用パッケージは、ナトリウム−硫黄電池が、出力が変動する発電装置と電力貯蔵補償装置とを組み合わせて電力系統へ電力を供給する連系システムにおいて電力貯蔵補償装置を構成し発電装置の出力の変動を補償するナトリウム−硫黄電池である場合に、好適に使用される。出力が変動する発電装置とは、例えば、風力、太陽光、地熱等の自然エネルギーを用いた自然エネルギー発電装置である。
【発明の効果】
【００１７】
本発明に係るナトリウム−硫黄電池用パッケージは、一のモジュール電池の上面と他のモジュール電池の底面との間に隙間ａを設けつつ多段に積層した複数のモジュール電池を、一の列と他の列との間に隙間ｂを設けつつ２列に配置した架台を収納する、ナトリウム−硫黄電池用のパッケージであり、一の列の側の壁面及び他の列の側の壁面の、最下段のモジュール電池に対応する位置にそれぞれ吸気口を備え、それぞれの吸気口に吸気ガラリを備えるとともに、一の列と他の列との間の天井部に排気口を備えるものである。即ち、本発明に係るナトリウム−硫黄電池用パッケージは、積層したモジュール電池が一列である場合の従来のパッケージ２つを、それぞれの背面で合わせた構造を有するものであり、その合わさった部分（パッケージ全体の中央部分）に隙間ｂが設けられるとともに、その隙間ｂの上部にあたる天井部に排気口を備えている。このような態様により、空気は、一の列の側（例えば正面側）の壁面及び他の列の側（例えば背面）の両方の壁面に備わる吸気ガラリからパッケージ内に入り、モジュール電池間の隙間ａを通って隙間ｂに抜け、（後述する隙間ｃを通って）中央の天井部の排気口から排出される。正面側及び背面側の両方の吸気ガラリから空気を取り込めるので、風向きが変わっても空気が入り易く、例え風向きの変わり易い環境に設置されても、空気の流れが途絶えて熱換気が十分に行えずパッケージ内の温度が上がり過ぎてナトリウム−硫黄電池システムの運転が非効率になってしまう、という問題は生じ難い。
【００１８】
そして、本発明に係るナトリウム−硫黄電池用パッケージでは、少なくとも最下段のモジュール電池を除く全てのモジュール電池毎に、一の列を構成するモジュール電池の底面と、一の列の側の壁面と、の間に、一の列の側の壁面に向けて斜め下方に傾斜した導風板Ａを、その導風板Ａの上縁部と一の列の壁面との間に所定の間隔を開けて設けるとともに、他の列を構成するモジュール電池の底面と、他の列の側の壁面と、の間に、他の列の側の壁面に向けて斜め下方に傾斜した導風板Ｂを、その導風板Ｂの上縁部と他の列の壁面との間に所定の間隔を開けて設け、更には、一の列を構成するモジュール電池の上面から、一の列と他の列との間に隙間ｂに向けて斜め上方に傾斜した整流板Ａ、及び、他の列を構成するモジュール電池の上面から、一の列と他の列との間に隙間ｂに向けて斜め上方に傾斜した整流板Ｂを、それら整流板Ａと整流板Ｂとの間に所定の間隔を開けて設けている。このような態様によれば、一の列の側又は他の列の側の壁面に向けて斜め下方に傾斜した導風板Ａ，Ｂによって、空気が、一の列及び他の列を構成するモジュール電池間の隙間ａに導入され、更に、空気は、整流板Ａ，Ｂによって、隙間ａから隙間ｂへ、滑らかに導入される（排出される）。モジュール電池で発生した熱によって上昇気流（上昇する空気の流れ）が生じても、空気は滑らかに各モジュール電池間の隙間ａに入っていき、滞ることがない。そして、導風板Ａ，Ｂの上縁部と一の列又は他の列の壁面との間に所定の間隔が開いていること、及び、隙間ａで圧力損失が生じ得ることによって、多段に積層した複数のモジュール電池の間の隙間ａには、滑らかに、概ね均等に、空気が入る。又、隙間ｂに向けて斜め上方に傾斜した整流板Ａと整流板Ｂとの間に、所定の間隔を開いているから、多段に積層した複数のモジュール電池の間の隙間ａから隙間ｂへ、滑らかに、概ね均等に空気が排出される。よって、本発明に係るナトリウム−硫黄電池用パッケージでは、空気の流れの停滞が生じ難く、空気は滑らかに流れ、パッケージ外への熱の排出を、効果的に行うことが可能となる。特にモジュール間の隙間ａにおいて熱が滞留し、部分的に高温になったり部分的に低温になったりする問題が起き難い。そのため、パッケージ内の温度が上がり過ぎ又は下がり過ぎてナトリウム−硫黄電池システムの運転が非効率になってしまう、という問題を回避することが出来る。
【００１９】
本発明に係るナトリウム−硫黄電池用パッケージは、パッケージ内の空気の流れが滑らかであるので、各モジュール電池間の隙間ａを、従来より小さくしても熱の滞留が起こり難い。従って、パッケージを小型化することが可能となる。
【００２０】
本発明に係るナトリウム−硫黄電池用パッケージは、その好ましい態様において、上記排気口が、上方に向けて開口した筒状部及びその筒状部との間に隙間ｃを設けつつ筒状部に被さる上蓋部によって、一の列の側及び他の列の側において側方を向くように形成されているので、雨水が入り難く、風向の変化の影響を受け難い。そして、筒状部の頂には水平な遮断板を設けているので、強風による空気の逆流の発生を低減ないし防止することが出来る。よって、この態様によっても、パッケージ内を通る空気の流れが滑らかになり、停滞が生じ難く、温度が上がり過ぎ又は下がり過ぎてナトリウム−硫黄電池システムの運転が非効率になってしまう、という問題を回避することが出来る。
【００２１】
本発明に係るナトリウム−硫黄電池用パッケージは、吸気ガラリを通じて空気を強制的にパッケージ内へ導入するファンを備えている、即ち、強制換気をすることが出来るので、確実に、空気をパッケージ内に取り込み、通気させることが出来る。自然エネルギー発電装置と組み合わされるナトリウム−硫黄電池は、塩害のおそれが大きい場所に設置される場合があるが、このような場所では、防塵フィルタが詰まり易く、自然換気であると、空気がパッケージ内に入り難くなる結果、ナトリウム−硫黄電池システムの運転が非効率になり易い。本発明に係るナトリウム−硫黄電池用パッケージの好ましい態様では、強制換気が可能であるので、このような問題を回避することが出来る。
【００２２】
本発明に係るナトリウム−硫黄電池用パッケージは、ファンを備える場合に、その好ましい態様において、温度計測手段とファン制御手段とを備えているので、パッケージ内の温度に適した換気をすることが可能である。具体的には、気温が低い場合には、換気を抑え（通気量（排気量）を少なくし）、モジュール電池の発熱を有効に利用して、パッケージ内の温度が下がり過ぎないように制御することが可能である。一方、気温が高い場合には、換気量を増加させて（通気量（排気量）を多くし）、パッケージ内の温度が適切な温度になるように下げることが出来る。従って、この態様によれば、ナトリウム−硫黄電池システムを効率よく運転することが可能である。
【００２３】
本発明に係るナトリウム−硫黄電池用パッケージは、その好ましい態様において、吸気ガラリに、防塵フィルタに加えて耐塩フィルタを備えているので、塩害のおそれが大きな場所に設置されても、塩分（海塩粒子）を確実に濾過することが出来、パッケージに収められたモジュール電池や制御機器等が、塩害により腐蝕し、電気系のトラブル等が発生するといった問題が生じ難い。
【００２４】
本発明に係るナトリウム−硫黄電池用パッケージは、一の列の側の壁面及び他の列の側の壁面に、一の扉と、その一の扉より相対的に小さな他の扉を備えているので、強風下において、開ける扉を小さな他の扉に限定することが出来、メンテナンスが行い易い。特に、塩害のおそれが大きな場所に設置される場合には、吸気ガラリ及びフィルタにメンテナンスが集中するが、小さい扉であるその他の扉に吸気ガラリが備わっているので、モジュール電池や制御装置等には問題がない場合には、小さい扉のみを開けて、容易に吸気ガラリ及びフィルタのメンテナンスを行うことが出来る。
【発明を実施するための最良の形態】
【００２５】
以下、本発明について、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００２６】
図１、図２、図３に、本発明に係るナトリウム−硫黄電池用パッケージを用いたナトリウム−硫黄電池システムの外形を示す。又、図４、図５、図６、図７に、本発明に係るナトリウム−硫黄電池用パッケージを用いたナトリウム−硫黄電池システムの内部構造を示す。図７は、図５の拡大図であり、図５及び図７において、矢印は、空気（風）の流れを表している。尚、図５と図７とは、相互に一部を省略して描かれている。
【００２７】
図１〜図７に示されるナトリウム−硫黄電池システム１１０は、（例えば）風力発電装置と電力貯蔵補償装置とを組み合わせて電力系統へ電力を供給する連系システムにおいて電力貯蔵補償装置を構成し風力発電装置の出力の変動を補償するナトリウム−硫黄電池システムであり、単電池を所定数接続してなるモジュール電池４ａ，４ｂを、更に、複数、接続して、制御機器とともに、架台６に配置し、その架台６をパッケージ１０１に収納したものである。
【００２８】
ナトリウム−硫黄電池システム１１０では、複数のモジュール電池４ａ，４ｂは、一のモジュール電池の上面と他のモジュール電池の底面との間に隙間７（隙間ａに相当）を設けつつ多段に積層されている。そして、一の列の側（図６において下側、図５及び図７において左側）で積層されたモジュール電池４ａと、他の列の側（図６において上側、図５及び図７において右側）で積層されたモジュール電池４ｂとで、２列を構成し、一の列と他の列との間に隙間８（隙間ｂに相当）を設けている。
【００２９】
パッケージ１０１は、上記のようなモジュール電池を２列に配置した架台６を収納するものであり、図６と図１３とを対比させることで理解出来るように、このパッケージ１０１は、積層したモジュール電池が一列である従来のパッケージ１（図１３を参照）を、２つ背面合わせで並べた構造を有する。背面で合わさった部分、即ちパッケージ全体としての中央部分に、隙間８が設けられる。
【００３０】
パッケージ１０１は、一の列の側の壁面１０９ａ及び他の列の側の壁面１０９ｂの、それぞれの最下段のモジュール電池４ａ，４ｂに対応する位置に吸気ガラリ１０２を備え、一の列と他の列との間の隙間８の上部にあたる天井部には排気口１０３を備える。図７によれば、吸気ガラリ１０２は、最下段のモジュール電池４ａ，４ｂに対応する位置より上に設けられているようにみえるが、これは後述するように、ファン１１２が設けられていて、最終的にファン１１２を介して空気がパッケージ１０１内へ導入されるからであり、最終的な空気の吸気口（取入口）を最下段のモジュール電池４ａ，４ｂに対応する位置に設けるということである。ファン１１２を設けない場合には、吸気ガラリ１０２自体を最下段のモジュール電池４ａ，４ｂに対応する位置に設けることになる。
【００３１】
そして、パッケージ１０１では、一の列の側において、モジュール電池４ａの底面と壁面１０９ａとの間に導風板１０６ａ（導風板Ａに相当）が設けられる。この導風板１０６ａは、壁面１０９ａに向けて斜め下方に傾斜し、導風板１０６ａの上縁部と壁面１０９ａの間には所定の間隔が開くように設けられる（図７を参照）。同様に、他の列の側において、モジュール電池４ｂの底面と壁面１０９ｂとの間に導風板１０６ｂ（導風板Ｂに相当）が設けられ、この導風板１０６ｂは、壁面１０９ｂに向けて斜め下方に傾斜し、導風板１０６ｂの上縁部と壁面１０９ｂの間には所定の間隔が開いている（図７を参照）。導風板１０６ａ，１０６ｂを斜め下方へ向けて設置するのは、モジュール電池４ａ，４ｂと壁面１０９ａ，１０９ｂとの間の隙間に上昇気流が生じていても、効果的に空気をモジュール電池４ａ，４ｂどうしの間の隙間７へ導入させるためである。導風板１０６ａ，１０６ｂの設置によって、吸気ガラリ１０２から各モジュール電池４ａ，４ｂ間の隙間７へ向かう気流（空気の流れ）が滑らかになり、隙間７での熱滞留を防止することが可能となる。モジュール電池４ａ，４ｂの底面から壁面１０９ａ，１０９ｂに向けて斜め下方に傾斜した導風板１０６ａ，１０６ｂの角度は、各段モジュール電池４ａ，４ｂの上面に流れる空気量の差異を少なくするため、水平に対して３０〜１５０°であることが好ましい。
【００３２】
パッケージ１０１は、更に、隙間７の出口側（中央側）において、整流板１０７ａ，１０７ｂを有する。整流板１０７ａ（整流板Ａに相当）は、モジュール電池４ａの上面から隙間８に向けて斜め上方に傾斜しており、整流板１０７ｂ（整流板Ｂに相当）は、モジュール電池４ｂの上面から隙間８に向けて斜め上方に傾斜している。そして、整流板１０７ａと整流板１０７ｂとの間には所定の間隔が開けられ、隙間８は、空気の流れ（気流）を妨げない空間として確保される（図７を参照）。整流板１０７ａ，１０７ｂを斜め上方へ向けて設置するのは、モジュール電池４ａ，４ｂの上面から隙間８への空気の流れが、隙間８の下方からの上昇気流によって妨げられることを防ぎ、隙間８へ下方からの上昇気流を円滑に上方へ逃がすためである。モジュール電池４ａ，４ｂの上面から隙間８に向けて斜め上方に傾斜した整流板１０７ａ，１０７ｂの角度は、水平に対して３０〜６０°であることが好ましい。
【００３３】
パッケージ１０１の天井部に備わる排気口１０３は、パッケージ１０１の天井部において上方に向けて開口した筒状部１１３と、その筒状部１１３に被さる上蓋部１２３によって形成される。排気口１０３には、好ましくは防塵フィルタ１４３が取り付けられる。筒状部１１３と上蓋部１２３との間には隙間９（隙間ｃに相当）が設けられ、パッケージ１０１の外へ排出される空気の流路が確保される。空気の流路は、パッケージ１０１の内部側からみて、筒状部１１３で一旦上がった後に、上蓋部１２３によって下方を向き、最終的に排気口１０３が一の列の側及び他の列の側において側方を向いていることによって側方を向くように形成されるので、外部からパッケージ１０１の中へ、雨が入り難く、空気の逆流も生じ難い。そして、パッケージ１０１では、筒状部１１３の頂に水平な遮断板１３３が設けられているので、尚更に、空気の逆流が起こり難い。
【００３４】
パッケージ１０１は、壁面１０９ａ及び壁面１０９ｂに、大きな扉１０５ｂと、その扉１０５ｂより相対的に小さな扉１０５ａを備える。そして、小さな扉１０５ａに吸気ガラリ１０２が設けられ、加えて、その吸気ガラリ１０２を通じて空気を強制的にパッケージ１０１内へ導入するファン１１２が備わる。パッケージ１０１内では、図７の矢印に示されるように、先ず、ファン１１２の回転によって、一の列の側及び他の列の側の両側から、扉１０５ａに設けられた吸気ガラリ１０２を通じて、空気がパッケージ１０１内に取り入れられる。そして、空気は、モジュール電池４ａ，４ｂと壁面１０９ａ，１０９ｂとの間の隙間を経て、モジュール電池４ａ，４ｂどうしの間の隙間７に入り、そこを抜けて、隙間８に入り、更に、天井部の隙間９から排気口１０３を経て、パッケージ１０１外へ排出される。このような空気の流れ（吸気及び排気を含む気流）を通じて、モジュール電池４ａ，４ｂから放たれる熱は、パッケージ１０１の外へ排出される。
【００３５】
パッケージ１０１においては、吸気ガラリ１０２の形状及び大きさ、排気口１０３の大きさ、ファン１１２の通常時の（標準）排気風量等は、モジュール電池４ａ，４ｂからの放熱量に対する熱換気設計を行った上で決定される。又、必要に応じて、最上段のモジュール電池４ａ，４ｂからの放熱量を抑えるために天梁遮蔽板１０８を設ける。
【００３６】
更に、パッケージ１０１においては、その内部の（パッケージ１０１内の）温度を測定する温度センサ１１３（温度計測手段）が備わるとともに、この温度センサ１１３によって測定されたパッケージ１０１内の温度に基づいて、ファン１１２をＯＮ−ＯＦＦさせたりファン１１２の回転数を制御することが出来る（図示しない）調節計（ファン制御手段）が備わる。従って、ナトリウム−硫黄電池システム１１０（パッケージ１０１）が設置された環境の気温に応じて、パッケージ１０１内の空気の流れを調節することが出来、効率よくナトリウム−硫黄電池システム１１０を運転することが可能である。尚、パッケージ１０１においては、温度センサ１１３が、図４及び図５に示されるように、各列の５段目のモジュール電池４ａ，４ｂの前面空間（扉１０５ｂの側、図１及び図２を参照）に８ヶ所設けられているが、各列の温度は、ほぼ等しくなることから  温度センサの数（温度測定点数）を減じることも可能である。
【００３７】
又、ナトリウム−硫黄電池システム１１０を塩害地域においても使用可能とするため、パッケージ１０１の吸気ガラリ１０２には、防塵フィルタ１２２の他に耐塩フィルタ１３２が備わる。この耐塩フィルタ１３２によって、塩害を防止することが可能である。塩害地域によっては、特に耐塩フィルタ１３２が詰まり易くなるが、小さな扉１０５ａに設けられた吸気ガラリ１０２に取り付けられるので、交換や洗浄、修理等が容易であり、強風下においても、耐塩フィルタ１３２及び防塵フィルタ１２２のメンテナンスは行い易い。
【産業上の利用可能性】
【００３８】
本発明に係るナトリウム−硫黄電池用パッケージは、ナトリウム−硫黄電池用のパッケージとして利用することが出来る。特に、風力、太陽光、地熱等の自然エネルギーを用いた、出力が変動する発電装置と、電力貯蔵補償装置と、を組み合わせて電力系統へ電力を供給する連系システムにおいて、上記電力貯蔵補償装置を構成する複数のナトリウム−硫黄電池システムを収めるパッケージとして好適に利用することが可能である。
【図面の簡単な説明】
【００３９】
【図１】本発明に係るナトリウム−硫黄電池用パッケージの一の実施形態を示す図であり、本発明に係るナトリウム−硫黄電池用パッケージを用いたナトリウム−硫黄電池システムの外形を示す正面図である。
【図２】図１に示されるナトリウム−硫黄電池システムの外形を示す左側面図である。
【図３】図１に示されるナトリウム−硫黄電池システムの外形を示す平面図（上面図）である。
【図４】ナトリウム−硫黄電池システムの内部構造を示す図であり、図３におけるＥＥ断面を表す断面図である。
【図５】ナトリウム−硫黄電池システムの内部構造を示す図であり、図１におけるＦＦ断面を表す断面図である。
【図６】ナトリウム−硫黄電池システムの内部構造を示す図であり、図１におけるＤＤ断面を表す断面図である。
【図７】図５の拡大図であり、矢印で空気（風）の流れを表した図である。
【図８】従来のナトリウム−硫黄電池用パッケージの一例を示す図であり、従来のナトリウム−硫黄電池用パッケージを用いたナトリウム−硫黄電池システムの外形を示す正面図である。
【図９】図８に示されるナトリウム−硫黄電池システムの外形を示す左側面図である。
【図１０】図８に示されるナトリウム−硫黄電池システムの外形を示す平面図（上面図）である。
【図１１】ナトリウム−硫黄電池システムの内部構造を示す図であり、図１０におけるＢＢ断面を表す断面図である。
【図１２】ナトリウム−硫黄電池システムの内部構造を示す図であり、図８におけるＣＣ断面を表す断面図である。
【図１３】ナトリウム−硫黄電池システムの内部構造を示す図であり、図８におけるＡＡ断面を表す断面図である。
【符号の説明】
【００４０】
１：パッケージ、２：吸気ガラリ、３：排気口、４：モジュール電池、４ａ，４ｂ：モジュール電池、５：扉、６：架台、７：隙間、８：隙間、９：隙間、１０：ナトリウム−硫黄電池システム、１０１：パッケージ、１０２：吸気ガラリ、１０３：排気口、１０５ａ，１０５ｂ：扉、１０６ａ，１０６ｂ：導風板、１０７ａ，１０７ｂ：整流板、１０８：天梁遮蔽板、１０９ａ，１０９ｂ：壁面、１１０：ナトリウム−硫黄電池システム、１１２：ファン、１１３：温度センサ、１２２：防塵フィルタ、１３２：耐塩フィルタ。
【図１】
2008226488.tif 000003
【図２】
2008226488.tif 000004
【図３】
2008226488.tif 000005
【図４】
2008226488.tif 000006
【図５】
2008226488.tif 000007
【図６】
2008226488.tif 000008
【図７】
2008226488.tif 000009
【図８】
2008226488.tif 000010
【図９】
2008226488.tif 000011
【図１０】
2008226488.tif 000012
【図１１】
2008226488.tif 000013
【図１２】
2008226488.tif 000014
【図１３】
2008226488.tif 000015